(57)【要約】【課題】一般的なＥＥＰＲＯＭのような使い勝手のよい不揮発性の記憶手段を使うことを可能としながら、機器運転用情報を適切に記憶しておくことが可能となる機器制御装置を提供する。【解決手段】機器の作動を制御する制御手段１１が、不揮発性の記憶手段１４に記憶されている機器運転用情報に基づいて機器の作動を制御するように構成され、計数処理タイミングになる毎に、記憶手段１４の複数の計数値記憶領域のうち記憶されている計数値が設定目標値に達していないもののいずれか１つに対して、計数値を単位量加算して新たな計数値に書き換えて記憶させ、且つ、リフレッシュ動作用の設定条件が満たされたものと判別すると、運転用情報記憶領域に記憶されている機器運転用情報を書き換え処理するリフレッシュ動作を実行する。【選択図】      図４
2004258768.tif 000002
【特許請求の範囲】
【請求項１】
機器の作動を制御する制御手段と、機器運転用情報を記憶する不揮発性の記憶手段とが備えられ、
前記制御手段が、前記記憶手段に記憶されている機器運転用情報に基づいて機器の作動を制御するように構成されている機器制御装置であって、
前記記憶手段が、
前記機器運転用情報を記憶する運転用情報記憶領域と、計数値を記憶するための複数の計数値記憶領域とを備えて構成され、
前記制御手段が、
計数処理タイミングになる毎に、前記記憶手段における前記複数の計数値記憶領域のうち記憶されている計数値が設定目標値に達していないもののいずれか１つに対して、それが記憶している計数値を単位量加算又は減算して新たな計数値に書き換えて記憶させ、
且つ、前記複数の計数値記憶領域の記憶情報に基づいてリフレッシュ動作用の設定条件が満たされたものと判別すると、前記記憶手段における前記運転用情報記憶領域に記憶されている前記機器運転用情報を書き換え処理するリフレッシュ動作を実行するように構成されている機器制御装置。
【請求項２】
前記記憶手段が、前記機器運転用情報として機種判別用の識別情報を記憶するように構成され、
前記制御手段が、複数種の機器の夫々に対応させる状態で備えている複数の機器制御用情報のうち、前記記憶手段に記憶されている前記機種判別用の識別情報に対応する機器制御用情報に基づいて機器の作動を制御するように構成されている請求項１記載の機器制御装置。
【請求項３】
前記記憶手段が、前記機器運転用情報として前記制御手段が実行すべき機器制御用情報を記憶するように構成され、
前記制御手段が、前記記憶手段に記憶されている前記機器制御用情報に基づいて機器の作動を制御するように構成されている請求項１記載の機器制御装置。
【請求項４】
機器の電源としての乾電池が備えられ、機器運転開始操作にて機器に対して乾電池からの電力供給が開始され、機器運転停止操作にて前記乾電池からの電力供給が停止されるように構成され、
前記制御手段が、前記乾電池からの電力供給が開始される毎に、前記計数処理タイミングになったものと判別するように構成されている請求項１〜３のうちのいずれか１項に記載の機器制御装置。
【請求項５】
前記制御手段が、
前記複数の計数値記憶領域における全ての計数値が前記設定目標値に達していると、前記リフレッシュ動作用の設定条件が満たされたものと判別するように構成され、且つ、前記複数の計数値記憶領域における全ての計数値を零に書き換えて記憶させるように構成されている請求項１〜４のうちのいずれか１項に記載の機器制御装置。
【請求項６】
前記機器がガスコンロである請求項１〜５のうちのいずれか１項に記載の機器制御装置。
【発明の詳細な説明】
【０００１】
【発明の属する技術分野】
本発明は、機器の作動を制御する制御手段と、機器運転用情報を記憶する不揮発性の記憶手段とが備えられ、前記制御手段が、前記記憶手段に記憶されている機器運転用情報に基づいて機器の作動を制御するように構成されている機器制御装置に関する。
【０００２】
【従来の技術】
上記構成の機器制御装置において、従来では、例えば、機器の作動内容等の仕様が互いに異なる複数種の機器が存在するような場合において、機器の作動を制御する制御手段を複数種の機器に対して共通で使用するために、次のように構成したものがあった。
【０００３】
つまり、制御手段によって自己が装着される機器の種別を判別することを可能にするために、制御手段が読み取り可能な前記機器運転用情報としての種別情報を不揮発性の記憶手段の一例としてのＥＥＰＲＯＭに記憶させて備えさせるようにしたものがあった（例えば、特許文献１参照。）。
【０００４】
説明を加えると、不揮発性の記憶手段としてのＥＥＰＲＯＭは、制御手段を機器に組み込んだ後であっても上述したような機器運転用情報を書き込み記憶させることが可能であり、このように機器の種別を制御手段に識別させるための種別情報をＥＥＰＲＯＭに記憶させておくと、制御手段はその種別情報を読み込んで機器の種別を認識することにより、複数の機種に対する複数の制御内容の中からその機種に対応した制御を行うことが可能となる。そして、ＥＥＰＲＯＭに機器運転用情報が書き込まれていない状態で機器に組み込んだ後においてＥＥＰＲＯＭに機器運転用情報を書き込み記憶させるようにしたり、又、ＥＥＰＲＯＭに機器運転用情報を書き込み記憶させた後に機器に組み込むようにすることによって、その機器に応じた制御を行うことが可能となるから、どの種類の機器に組み込んだ場合であっても共通で利用することができるので、複数の機種毎に各別に異なるものを用意する必要がなくコストダウンを図ることが可能となるのである。
【０００５】
【特許文献１】
特開平１０−３００１７７号公報（第３−５頁、図１、図２）
【０００６】
【発明が解決しようとする課題】
ところで、前記ＥＥＰＲＯＭは上述した如く機器に組み込んだ後であっても情報の書き込み処理を行うことができ、しかも、ＥＥＰＲＯＭに対する電源供給が停止された後においてもその記憶内容を保持することができるものであり、停電したような場合だけでなく電力消費を抑制するために機器運転停止操作にて電力供給が停止されるような場合においても記憶内容を保持することが可能であるから使い勝手がよく、この種の情報を記憶するためのものとしてよく利用されるものである。
【０００７】
しかし、一般に利用されているＥＥＰＲＯＭは、情報が書き込まれてから記憶状態を保持することが可能な記憶保持可能時間が限られており（約１０年間）、この記憶保持可能時間が経過すると書き込まれた情報が揮発してしまうことになる。又、ＥＥＰＲＯＭに対する情報の書き込み回数にも制限があり、許容書き込み回数（約１０万回）を越えて書き込み処理が行われるとその後は情報の記憶が行えないものとなるおそれがある。
【０００８】
このようなＥＥＰＲＯＭを機器の一例としてのガスコンロに適用した場合には、次のような不利な面があった。
つまり、ガスコンロの場合には、ガスコンロが使用場所に設置されて使用可能な状態に設定されてから、取り替えたり又は廃棄する等ガスコンロが使用されなくなるまでの間の経過時間が前記記憶保持可能時間を越える場合もあり、上記したようなＥＥＰＲＯＭを用いて機器運転用情報を書き込み記憶させて使用している場合には、ガスコンロが使用され始めてからの経過時間が前記記憶保持可能時間を越えてしまうと機器運転用情報が揮発して正常な作動を行えなくおそれがある。
【０００９】
そこで、このような不利を解消するためには、ＥＥＰＲＯＭが情報を記憶保持している時間が前記記憶保持可能時間を越えないようにするために、ＥＥＰＲＯＭに機器運転用情報が書き込まれるとともに機器に組み込まれた後において、ＥＥＰＲＯＭに対して機器運転用情報を再度書き込む処理、つまり、リフレッシュ動作を実行することが考えられる。
しかし、ガスコンロは電源として乾電池を用いることが多く、乾電池の電力消費を抑制するために、ガスコンロを使用するときにだけ機器への電力供給を行い、ガスコンロを使用していないときには機器への電力供給を停止させる構成となっている。従って、機器を使用しないかぎり機器への電力供給が行われないのであり、電力供給が停止されていると制御手段も動作しない状態となるので、機器への電力供給が行われる毎に制御手段に前記リフレッシュ動作を実行させることが考えられる。このように機器を使用するために機器への電力供給が行われる毎にＥＥＰＲＯＭに対して機器運転用情報を再度書き込む処理を行うようにすると、機器使用状況によってはＥＥＰＲＯＭへの書き込み回数が前記許容書き込み回数を越えてしまい、その後はＥＥＰＲＯＭに情報の記憶が行えないものとなるおそれがある。
【００１０】
尚、不揮発性の記憶手段として、情報を記憶保持することが可能な年数が前記記憶保持可能時間（約１０年）を越えるものや書き込み回数として前記許容書き込み回数（約１０万回）よりも多い回数を保証している特殊なＥＥＰＲＯＭも存在するが、このような特殊なＥＥＰＲＯＭはコストが高くて入手が難しい等の不利がある。
【００１１】
本発明はかかる点に着目してなされたものであり、その目的は、一般的なＥＥＰＲＯＭのような使い勝手のよい不揮発性の記憶手段を使うことを可能としながら、機器運転用情報を適切に記憶しておくことが可能となる機器制御装置を提供する点にある。
【００１２】
【課題を解決するための手段】
請求項１に記載の機器制御装置は、機器の作動を制御する制御手段と、機器運転用情報を記憶する不揮発性の記憶手段とが備えられ、前記制御手段が、前記記憶手段に記憶されている機器運転用情報に基づいて機器の作動を制御するように構成されているものであって、
前記記憶手段が、前記機器運転用情報を記憶する運転用情報記憶領域と、計数値を記憶するための複数の計数値記憶領域とを備えて構成され、
前記制御手段が、計数処理タイミングになる毎に、前記記憶手段における前記複数の計数値記憶領域のうち記憶されている計数値が設定目標値に達していないもののいずれか１つに対して、それが記憶している計数値を単位量加算又は減算して新たな計数値に書き換えて記憶させ、且つ、前記複数の計数値記憶領域の記憶情報に基づいてリフレッシュ動作用の設定条件が満たされたものと判別すると、前記記憶手段における前記運転用情報記憶領域に記憶されている前記機器運転用情報を書き換え処理するリフレッシュ動作を実行するように構成されていることを特徴とする。
【００１３】
すなわち、不揮発性の記憶手段が前記機器運転用情報を記憶する運転用情報記憶領域と計数値を記憶するための複数の計数値記憶領域とを備えており、前記制御手段が、計数処理タイミングになる毎に、記憶手段における複数の計数値記憶領域のうち記憶されている計数値が設定目標値に達していないもののいずれか１つに対して、それが記憶している計数値を単位量加算又は減算して新たな計数値に書き換えて記憶させる。従って、計数処理タイミングになる毎に、複数の計数値記憶領域のうちのいずれか１つに対してのみ計数値の書き換え処理が行われることになり、いずれかの計数値記憶領域にて計数値が設定目標値に達すると、計数値が設定目標値に達していない他のいずれかの計数値記憶領域に対して計数値の書き換え処理が行われる。
【００１４】
前記計数処理タイミングとしては、例えば、機器運転開始操作にて機器に対して電源からの電力供給が開始され、機器運転停止操作にて電源からの電力供給が停止されるように構成されたものにおいて、電力供給が開始される毎に計数処理タイミングになったものと判別するような構成がある。又、このような構成の他に、機器が使用されている使用時間が設定時間に達する毎に計数処理タイミングになったものと判別するような構成等もある。要するに、機器が設置されてから時間が経過するのに伴って定期的にあるいは不定期に発生する所定の条件を満たすと計数処理タイミングになったものと判別するのである。
【００１５】
そして、制御手段は、複数の計数値記憶領域のうちのいずれか１つに対する計数値の書き換え処理を計数処理タイミングになる毎に繰り返し実行して、複数の計数値記憶領域の記憶情報に基づいてリフレッシュ動作用の設定条件が満たされたものと判別すると、記憶手段における運転用情報記憶領域に記憶されている機器運転用情報を書き換え処理するリフレッシュ動作を実行することになる。
【００１６】
前記リフレッシュ動作用の設定条件としては、例えば、前記複数の計数値記憶領域における全ての計数値が前記設定目標値に達しているような場合がある。又、このような構成の他に、複数の計数値記憶領域のうちのいずれか１つのものにおいて計数値が設定目標値に達している場合等もある。
【００１７】
その結果、各計数値記憶領域においては、計数値が繰り返し書き換え記憶されることになるので、書き換えされない状態が長い時間、例えばＥＥＰＲＯＭにおける記憶保持可能時間よりも長い時間にわたって継続することがなく、しかも、１つの計数値記憶領域に対する書き込み回数は設定目標値を越えることは無い。又、運転用情報記憶領域においては、リフレッシュ動作用の設定条件が満たされると記憶されている機器運転用情報が書き換え処理されるから、書き換えされない状態が長い時間、例えばＥＥＰＲＯＭにおける記憶保持可能時間よりも長い時間にわたって継続することがなく、しかも、リフレッシュ動作用の設定条件が満たされるまでの間は運転用情報記憶領域に対する書き込みは行われないので、機器の使用期間が長くなっても、運転用情報記憶領域に対する書き込み回数は、例えばＥＥＰＲＯＭへの許容書き込み回数よりも少ない回数に抑制することが可能となる。
【００１８】
従って、複数の計数値記憶領域並びに運転用情報記憶領域の夫々において、記憶されている情報が書き換えされない状態がＥＥＰＲＯＭにおける記憶保持可能時間よりも長い時間にわたって継続することがなく、しかも、書き込み回数をＥＥＰＲＯＭへの許容書き込み回数よりも少ない回数に抑制することが可能となるから、一般的なＥＥＰＲＯＭのような使い勝手のよい不揮発性の記憶手段を使うことを可能としながら、機器運転用情報を適切に記憶しておくことが可能となる機器制御装置を提供できるに至った。
【００１９】
請求項２に記載の機器制御装置は、請求項１において、前記記憶手段が、前記機器運転用情報として機種判別用の識別情報を記憶するように構成され、前記制御手段が、複数種の機器の夫々に対応させる状態で備えている複数の機器制御用情報のうち、前記記憶手段に記憶されている前記機種判別用の識別情報に対応する機器制御用情報に基づいて機器の作動を制御するように構成されていることを特徴とする。
【００２０】
すなわち、記憶手段が機器運転用情報として機種判別用の識別情報を記憶しており、制御手段は、複数種の機器の夫々に対応させる状態で備えている複数の機器制御用情報のうち、記憶手段に記憶されている機種判別用の識別情報に対応する機器制御用情報に基づいて機器の作動を制御するのである。
従って、機種判別用の識別情報が書き込まれていない状態で機器に組み込んだ後において記憶手段に機種判別用の識別情報を書き込み記憶させるようにしたり、又、記憶手段に機種判別用の識別情報を書き込み記憶させた後に機器に組み込むようにすることによって、その機器に応じた制御を行うことが可能でありながら、複数種の機器の夫々に対して共用することが可能となり、複数種の機器に対して夫々各別に異なる仕様のものを設ける必要がなく、コストダウンを図ることが可能となる。
【００２１】
請求項３記載の機器制御装置は、請求項１において、前記記憶手段が、前記機器運転用情報として前記制御手段が実行すべき機器制御用情報を記憶するように構成され、前記制御手段が、前記記憶手段に記憶されている前記機器制御用情報に基づいて機器の作動を制御するように構成されていることを特徴とする。
【００２２】
すなわち、記憶手段が制御手段が実行すべき機器制御用情報を記憶しており、制御手段が記憶手段に記憶されている機器制御用情報に基づいて機器の作動を制御するのである。従って、機器制御用情報が書き込まれていない状態で機器に組み込んだ後において記憶手段に機器制御用情報を書き込み記憶させるようにしたり、又、記憶手段に機器制御用情報を書き込み記憶させた後に機器に組み込むようにすることによって、その機器に応じた制御を行うことが可能でありながら、複数種の機器の夫々に対して共用することが可能となり、複数種の機器に対して夫々各別に異なる仕様のものを設ける必要がなく、コストダウンを図ることが可能となる。しかも、複数種の機器の夫々に対応する複数の機器制御用情報を全て備えておく必要がなく、それらを全て記憶しておくものに比べて構成が簡素になる利点もある。
【００２３】
請求項４記載の機器制御装置は、請求項１〜３のいずれかにおいて、機器の電源としての乾電池が備えられ、機器運転開始操作にて機器に対して乾電池からの電力供給が開始され、機器運転停止操作にて前記乾電池からの電力供給が停止されるように構成され、前記制御手段が、前記乾電池からの電力供給が開始される毎に、前記計数処理タイミングになったものと判別するように構成されていることを特徴とする。
【００２４】
すなわち、機器の電源としての乾電池が備えられて、機器運転開始操作にて機器に対して乾電池からの電力供給が開始され、機器運転停止操作にて乾電池からの電力供給が停止される。制御手段は電力供給が開始されることによって機器の作動を制御し、電力供給が停止すると機器の作動制御を停止することになる。このようにして、機器運転時にのみ電力を供給し、運転しない時には無駄に電力を消費することがないので、乾電池の電力消耗を極力少なくして使用可能期間を長くすることができる。
【００２５】
そして、乾電池からの電力供給が開始される毎に、前記計数処理タイミングになったものと判別して、いずれかの計数値記憶領域に対して上述したような計数値の書き換え処理が行われることになる。このような計数値の書き換え処理を計数処理タイミングになる毎に繰り返し実行して、前記リフレッシュ動作用の設定条件が満たされると、機器運転用情報を書き換え処理するリフレッシュ動作を実行することになるので、運転用情報記憶領域に対する書き込み回数は例えばＥＥＰＲＯＭへの許容書き込み回数よりも少ない回数に抑制することが可能となる。
【００２６】
従って、乾電池により電力を供給する機器に用いる場合であっても、一般的なＥＥＰＲＯＭのような使い勝手のよい不揮発性の記憶手段を使うことを可能としながら、機器運転用情報を適切に記憶しておくことが可能となる。
【００２７】
請求項５記載の機器制御装置は、請求項１〜４のいずれかにおいて、前記制御手段が、前記複数の計数値記憶領域における全ての計数値が前記設定目標値に達していると、前記リフレッシュ動作用の設定条件が満たされたものと判別するように構成され、且つ、前記複数の計数値記憶領域における全ての計数値を零に書き換えて記憶させるように構成されていることを特徴とする。
【００２８】
すなわち、複数の計数値記憶領域における全ての計数値が前記設定目標値に達していると、前記リフレッシュ動作用の設定条件が満たされたものと判別するとともに、複数の計数値記憶領域における全ての計数値を零に書き換えるので、次回にリフレッシュ動作用の設定条件が満たされるまでの間に、複数の計数値記憶領域の夫々において再度、全ての計数値が前記設定目標値に達するまで計数値の書き換え処理が行われることになる。このようにして計数値の書き換え処理が設定回数に達する毎に前記リフレッシュ動作を実行することができ、記憶手段において記憶されている情報が書き換えされない状態がＥＥＰＲＯＭにおける記憶保持可能時間よりも長い時間にわたって継続することがなく、しかも、書き込み回数をＥＥＰＲＯＭへの許容書き込み回数よりも少ない回数に抑制することを的確に行い易いものにすることが可能となった。
【００２９】
請求項６記載の機器制御装置は、請求項１〜５のいずれかにおいて、前記機器がガスコンロであることを特徴とする。
【００３０】
すなわち、複数種のガスコンロに対して共通で利用することにより、複数の機種毎に各別に異なる機器制御装置を用意する必要がなくガスコンロのコストダウンを図ることが可能であり、しかも、一般的なＥＥＰＲＯＭのような使い勝手のよい不揮発性の記憶手段を使うことを可能としながら、ガスコンロの機種を判別するための機種判別用の識別情報やその機種において実行すべき機器制御用情報等の機器運転用情報を適切に記憶しておくことが可能となった。
【００３１】
【発明の実施の形態】
〔第１実施形態〕
以下、本発明に係る機器制御装置の第１実施形態について、機器の一例としてガスコンロに適用した場合について図面に基づいて説明する。
【００３２】
図１に示すように、前記ガスコンロは、２つのコンロ部Ｃ１，Ｃ２と、１つのグリル調理部Ｇとを備えて構成され、前面パネル部には、前記各コンロ部Ｃ１，Ｃ２及びグリル調理部Ｇに対して点火・消火を指令するための３個の点消火操作具Ｓ１，Ｓ２，Ｓ３、火力調整レバーＲＥ、モード設定部ＭＳなどが設けられ、各コンロ部Ｃ１，Ｃ２の後方側にはグリル調理部Ｇにて発生する煙等を排出する排気口１が設けられている。そして、このガスコンロには、各コンロ部Ｃ１，Ｃ２及びグリル調理部Ｇの作動を制御するための制御部Ｈが設けられている。
【００３３】
前記２つのコンロ部Ｃ１，Ｃ２のうち第１のコンロ部Ｃ１は高火力バーナＢ１で構成され、第２のコンロ部Ｃ２には、被加熱物の温度を検出する温度センサＳＴ１が備えられ、この温度センサＳＴ１により鍋等の温度が設定温度以上になったことが検出されると、バーナの燃焼を停止させるように構成された温度センサ付きバーナＢ２で構成されている。前記各コンロ部Ｃ１，Ｃ２には、夫々、各バーナの外方側に吹き溢れた煮汁等を受け止めるための円環状の受皿や鍋等を載置支持する五徳５１が備えられている。
【００３４】
説明を加えると、第１のコンロ部Ｃ１におけるバーナＢ１は、燃料ガスが一次空気と混合された状態で供給される混合管と略円環状に形成されたバーナ本体部と、これに嵌合状態で載置されるバーナキャップ等を備えて構成されている。バーナＢ１には、点火のために火花放電する点火プラグＰ１及びバーナ燃焼状態を検出する熱電対Ｔ１が取付けられている。熱電対Ｔ１は、バーナが燃焼状態であれば、その炎により加熱されることで所定の熱起電力が発生し、その発生する熱起電力に基づいて図示しない電磁コイルを励磁して燃料供給路に設けられる閉弁付勢型の安全弁Ｖ１を開弁状態に維持させるように構成され、且つ、例えば煮汁等の吹き溢れ等に起因してバーナＢ１の炎が消されたような場合には、安全弁Ｖ１が閉弁操作され、炎が消された状態で不測に燃料供給が継続されることを未然に防止するようになっている。前記閉弁付勢型の安全弁Ｖ１は、外方の突出している消火用位置から点消火操作具Ｓ１を点火位置まで押し込み操作することにより開弁状態に切り換わるように機械的に連係されている。又、火力調整レバーＲＥは、手動による移動操作によって流量調整用のニードル弁Ｍ１の開度を調整するものであり、これによって、ガス燃焼の火力を調整することができる。
【００３５】
第２のコンロ部Ｃ２におけるバーナＢ２は、バーナ本体部とバーナキャップ等を備えている点は第１のコンロ部Ｃ１におけるバーナＢ１と同じであるが、バーナキャップの中央部に上下方向に貫通する開口が設けられ、この開口を通して、鍋等の被加熱物の底面温度を検出するサーミスタ等の温度センサＳＴ１を下方側から挿通させて上方に突出させる形式となっている。そして、この温度センサＳＴ１の検出結果に基づいて加熱量を調節することにより温度調整したり、燃料供給を停止させて過熱防止を図るようになっている。又、このバーナＢ２に対する燃料供給路にはオリフィスＯＦを備えたバイパス路ＢＰが設けられ、そのバイパス路ＢＰに並列に設けられるガス流路に温調用の電磁弁Ｖ２が備えられている。尚、それら以外の構成、即ち、点火プラグＰ２、熱電対Ｔ２、安全弁Ｖ３、点消火操作具Ｓ２、流量調整用のニードル弁Ｍ２などの構成は、第１のコンロ部Ｃ１についてのものと同様である。
【００３６】
グリル調理部Ｇはテーブルコンロの装置内部に配置されており、魚等の被調理物を載置する部分が引き出し式になっている。被調理物の載置部の上方及び下方には、裏表両面を同時に加熱調理できるように、面状の上面バーナＧＢ１と２つの下面バーナＧＢ２，ＧＢ３とを備えた両面バーナにて構成され、グリル点火用パイロットＧＰ、及び、グリル点火用パイロットＧＰから遠い方の下面バーナＧＢ２の夫々に点火プラグＰ３、Ｐ４が備えられ、バーナ燃焼状態を検出する熱電対Ｔ３と、グリル水入れ皿の異常加熱を検出するグリル過熱防止センサＳＴ２も設けられている。点火時には点火プラグＰ３によって、グリル点火用パイロットＧＰに点火され、その火が、上面バーナＧＢ１と下面バーナＧＢ３を点火させ、同時に点火プラグＰ４によって下面バーナＧＢ２に点火される方式となっており、バーナ燃焼状態を検出する熱電対Ｔ３によって燃焼状態を検知している。そして、それらの構成以外の安全弁Ｖ４、点消火操作具Ｓ３、流量調整用のニードル弁Ｍ３などの構成は、第１のコンロ部Ｃ１についてのものと同様であり、点消火操作具Ｓ３を押すことにより、点火操作と開弁操作が行われ、上記のようなガス燃焼が開始される。
【００３７】
前記前面パネルに設けられるモード設定部ＭＳには、図２に示すように、油を加熱して天ぷら等の揚げ物調理を行うための揚げ物運転を指令する揚げ物キー２、湯沸かし運転を指令する湯沸かしキー３、ごはん又はおかゆを炊くための炊飯運転を指令する炊飯キー４、揚げ物運転状態であることを示すとともに揚げ物運転において設定温度が１６０℃、１８０℃、２００℃であることを示す揚げ物表示ランプ５、湯沸かし運転であることを示す湯沸かしランプ６、炊飯運転状態であって「おかゆ」か「ごはん」のいずれかを示す炊飯ランプ７などが設けられている。
【００３８】
前記各点消火操作具Ｓ１、Ｓ２、Ｓ３は、夫々、前面パネル部から外方に突出する消火用位置から点火位置まで押し込み操作した後に手を離すと燃焼用操作位置に保持され、再度、押し操作して手を離すと消火用位置に戻るように構成されている。そして、これら各点消火操作具Ｓ１、Ｓ２、Ｓ３夫々の押し操作に伴って入り状態に切り換わるスイッチ８、９、１０が各別に設けられ、前記燃焼用操作位置及び点火位置に操作されているときには、対応するスイッチがオン状態となり、点消火操作具Ｓ１が消火用位置にあるとスイッチがオフするように構成されている。これらのスイッチ８、９、１０は、電源としての乾電池ＢＴからの電力を制御部Ｈに供給する状態と供給を停止する状態とに切り換えるものである。
【００３９】
つまり、図４に示すように、制御部Ｈは、各部の動作を制御するための制御手段としてのマイクロコンピュータ１１と、このマイクロコンピュータ１１に対して電源を供給するための電源スイッチ部１２とが設けられ、前記スイッチ８、９、１０のいずれかがオンすると、電源スイッチ部１２におけるスイッチングトランジスタ１３がオンしてマイクロコンピュータ１１に対して電源を供給する状態に切り換わり、前記スイッチがオフすると、スイッチングトランジスタ１３がオフしてマイクロコンピュータ１１に対する電源供給が停止される構成となっている。
【００４０】
前記制御部Ｈは、第２のコンロ部Ｃ２に対する温調制御及び過熱防止制御を実行するように構成されている。この温調制御及び過熱防止制御について説明すると、モード設定部ＭＳにて揚げ物運転が指令されていれば、温度センサＳＴ１にて検出される鍋等の被加熱物の底面温度が１６０℃、１８０℃、２００℃のうちいずれか設定されている温度になったことを検出すると、電磁弁Ｖ２を閉弁させて燃料供給量を抑制して小火にする状態と電磁弁Ｖ２を開弁して元の火力にする状態とを繰り返してほぼ設定温度に維持させる処理を実行する。湯沸かし運転が指令されると、温度センサＳＴ１にて検出される鍋等の被加熱物の底面温度が沸騰温度（約１００℃）になると、電磁弁Ｖ２を閉弁させて燃料供給量を抑制して小火にさせて、その後、５分間経過すると自動消火させる処理を実行する。又、火力調整レバーＲＥが炊飯用の位置に調節した状態で炊飯運転が指令されると、炊飯用として設定された加熱状態となるように燃焼状態を制御し炊飯が終了すると自動消火させる処理を実行する。上記したようないずれの運転も指令されていない状態においても、温度センサＳＴ１にて検出される鍋等の被加熱物の底面温度が２５０℃になると、油を用いた調理であると判断して、電磁弁Ｖ２を閉弁させて燃料供給量を抑制して小火にする状態と、電磁弁Ｖ２を開弁して元の火力にする状態とを繰り返してほぼ２５０℃に維持させる処理を実行し、しかも、この状態が３０分継続すると消し忘れとみなして自動消火させる処理を実行する。
【００４１】
又、制御部Ｈは、コンロ部Ｃ２とグリル調理部Ｇにおいてバーナが連続燃焼している経過時間が設定時間に達すると、前記各安全弁Ｖ３、Ｖ４の作動を制御するタイマー自動消火制御を実行するように構成されている。このタイマー自動消火制御について説明すると、コンロ部Ｃ２については、バーナの燃焼を開始してからの連続燃焼時間が２時間に達すると、前記安全弁Ｖ３を遮断して燃料供給を停止して燃焼を停止させる。又、グリル調理部Ｇについては、バーナの燃焼を開始してからの連続燃焼時間が１５分間に達すると、安全弁Ｖ４を遮断して燃料供給を停止して燃焼を停止させる構成となっている。
【００４２】
そして、このガスコンロでは、機器運転用情報としての機種判別用の識別情報を記憶する不揮発性の記憶手段の一例であるＥＥＰＲＯＭ１４を備えており、前記マイクロコンピュータ１１が、複数種のガスコンロの夫々に対応させる状態で備えている複数の機器制御用情報のうち、ＥＥＰＲＯＭ１４に記憶されている機種判別用の識別情報に対応する機器制御用情報に基づいてガスコンロの作動を制御するように構成されている。
【００４３】
つまり、マイクロコンピュータ１１は、自己が有するマスクＲＯＭにて構成された不揮発性のメモリ１１ａに、仕様が異なる複数種のガスコンロに対応する複数の機器制御用情報ＳＤ１〜ＳＤｎが予め書き込み記憶されており、その中のいずれか１つを設定して制御を実行することができる構成となっている。又、前記ＥＥＰＲＯＭ１４には、複数種の中でどの機種のガスコンロであるかを識別するための機種判別用の識別情報が予め書き込み記憶されている。
従って、マイクロコンピュータ１１は、ＥＥＰＲＯＭ１４に記憶されている機種判別用の識別情報を読み込み、対応する機種の機器制御用情報を設定して制御を実行することになる。つまり、このマイクロコンピュータ１１は複数種のガスコンロに対して共通で使用することができるものとなっている。
【００４４】
仕様が異なる複数種のガスコンロについて例示すると、例えば、前記過熱防止運転を実行するときの設定温度が互いに異なっている仕様のもの、あるいは、このような過熱防止運転を実行する機能を有するものと機能を有しないもの、燃焼状態を示す表示ランプを搭載しているものと搭載していないもの等がある。
【００４５】
そして、図５に示すように、前記ＥＥＰＲＯＭ１４が、前記機種判別用の識別情報を記憶する運転用情報記憶領域Ａと、計数値を記憶するための複数の計数値記憶領域Ｂ１〜Ｂｎとを備えて構成され、マイクロコンピュータ１１が、計数処理タイミングになる毎に、具体的には、乾電池ＢＴからの電力供給が開始される毎に前記計数処理タイミングになったものと判別する毎に、ＥＥＰＲＯＭ１４における前記複数の計数値記憶領域Ｂ１〜Ｂｎのうち記憶されている計数値が設定目標値に達していないもののいずれか１つに対して、それが記憶している計数値を単位量加算して新たな計数値に書き換えて記憶させる。又、前記複数の計数値記憶領域の記憶情報に基づいてリフレッシュ動作用の設定条件が満たされたものと判別すると、具体的には、複数の計数値記憶領域Ｂ１〜Ｂｎにおける全ての計数値が前記設定目標値に達していると判別すると、ＥＥＰＲＯＭ１４における前記運転用情報記憶領域Ａに記憶されている前記機種判別用の識別情報を書き換え処理するリフレッシュ動作を実行するように構成されている。
【００４６】
前記マイクロコンピュータ１１の具体的な制御動作についてフローチャートに基づいて説明する。
図６に示すように、前記各点消火操作具Ｓ１、Ｓ２、Ｓ３のうちのいずれかが押し操作されて、マイクロコンピュータ１１への通電が開始されると、ＥＥＰＲＯＭ１４における運転用情報記憶領域Ａに記憶されている前記機種判別用の識別情報としての機種判別データＨＤを読み込み（ステップ１、２）、前記複数の計数値記憶領域Ｂ１〜Ｂｎにおける全ての計数値を読み込む（ステップ３）。尚、これらの計数値はガスコンロが工場から出荷されるときは全て零に初期設定されている。
【００４７】
次に、前記複数の計数値記憶領域Ｂ１〜Ｂｎについて予め定めた順序で記憶されている計数値が設定目標値としての上限値ＫＤＭＡＸに達しているか否を判別し、計数値が設定目標値ＫＤＭＡＸに達していない場合に、その計数値記憶領域に対してそれが記憶している計数値を単位量加算して新たな計数値に書き換えて記憶させるようになっている。つまり、第１番目の計数値記憶領域Ｂ１に記憶している計数値ＫＤ１が設定目標値ＫＤＭＡＸに達していなければ、その計数値記憶領域Ｂ１が記憶している計数値ＫＤ１を単位量加算（＋１）して新たな計数値に書き換えて記憶させる（ステップ４、５、６）。第１番目の計数値記憶領域Ｂ１の計数値ＫＤ１が設定目標値ＫＤＭＡＸに達していれば、第２番目の計数値記憶領域Ｂ２について同様な処理を実行する（ステップ９、１０、１１）。以下、同様にして計数値ＫＤ１が設定目標値ＫＤＭＡＸに達していないものについて、このような計数値の書き換え処理を複数の計数値記憶領域Ｂ１〜Ｂｎについて順次行うことになる（ステップ４、９、１２、１３、１４）。
【００４８】
そして、そのような計数値の書き換え処理を実行した後は、運転用情報記憶領域Ａから読み出した機種判別データＨＤに基づいて、ガスコンロの機種を判別して、前記メモリに予め書き込み記憶されている複数種のガスコンロに対応する複数の機器制御用情報の中から当該機種に対応するものを設定して、通電が停止されるまでガスコンロの制御つまり上記したような過熱防止制御やタイマー自動消火制御等を実行することになる（ステップ７、８）。
【００４９】
通電が開始されて上記したような計数値の書き換え処理を実行する場合において、複数の計数値記憶領域Ｂ１〜Ｂｎにおける全ての計数値ＫＤ１〜ＫＤｎが設定目標値ＫＤＭＡＸに達していれば、リフレッシュ動作用の設定条件が満たされたものと判別して、複数の計数値記憶領域における全ての計数値を零に書き換えて記憶させ（ステップ１５）、運転用情報記憶領域Ａに記憶されている機種判別データＨＤを再度書き換えて記憶させるリフレッシュ動作を実行する（ステップ１６）。
【００５０】
このようにして、ＥＥＰＲＯＭ１４における複数の記憶領域、つまり、運転用情報記憶領域Ａ、及び、複数の計数値記憶領域Ｂ１〜Ｂｎの夫々において、記憶されている情報が書き換えされない状態がＥＥＰＲＯＭ１４における記憶保持可能時間（約１０年間）よりも長い時間にわたって継続することがなく、しかも、書き込み回数をＥＥＰＲＯＭ１４への許容書き込み回数（約１０万回）よりも少ない回数に抑制することが可能となる。
【００５１】
〔第２実施形態〕
以下、本発明に係る機器制御装置の第２実施形態について図面に基づいて説明する。
この実施形態では、マイクロコンピュータ１１における制御構成及びＥＥＰＲＯＭ１４が記憶する情報が異なる以外の他の構成は上記第１実施形態の場合と同であるから異なる構成についてのみ説明し、同じ構成については説明は省略する。
【００５２】
つまり、この実施形態では、前記記憶手段としてのＥＥＰＲＯＭ１４が前記機器運転用情報として機種判別用の識別情報を記憶するのではなく、制御手段としてのマイクロコンピュータ１１が実行すべき機器制御用情報を記憶するように構成され、マイクロコンピュータ１１が、ＥＥＰＲＯＭ１４に記憶されている機器制御用情報に基づいて機器の作動を制御するように構成されている。又、マイクロコンピュータ１１が、リフレッシュ動作用の設定条件が満たされたものと判別すると、ＥＥＰＲＯＭ１４に記憶されている機器制御用情報を書き換え処理するリフレッシュ動作を実行する構成となっている。
【００５３】
図７に示すように、ＥＥＰＲＯＭ１４における運転用情報記憶領域Ａには、当該機種のガスコンロに対応する機器制御用情報としての制御データＳＤが書き込み記憶されており、複数の計数値記憶領域Ｂ１〜Ｂｎの夫々においては第１実施形態のときと同様に計数値が記憶されることになる。
【００５４】
次に、この実施形態におけるマイクロコンピュータ１１の具体的な制御動作についてフローチャートに基づいて説明する。
図８に示すように、前記各点消火操作具Ｓ１、Ｓ２、Ｓ３のうちのいずれかが押し操作されて、マイクロコンピュータ１１への通電が開始されると、ＥＥＰＲＯＭ１４における運転用情報記憶領域Ａに記憶されている制御データＳＤを読み込み（ステップ２１、２２）、前記複数の計数値記憶領域Ｂ１〜Ｂｎにおける全ての計数値を読み込む（ステップ２３）。次に、第１実施形態のときと同様な計数値の書き換え処理を実行する（ステップ２４〜２６、２９〜３４）。計数値の書き換え処理を実行した後は、通電が停止されるまで運転用情報記憶領域Ａから読み出した制御データＳＤによりガスコンロの制御を実行する（ステップ２７、２８）。
【００５５】
そして、複数の計数値記憶領域Ｂ１〜Ｂｎにおける全ての計数値ＫＤ１〜ＫＤｎが設定目標値ＫＤＭＡＸに達していれば、リフレッシュ動作用の設定条件が満たされたものと判別して、複数の計数値記憶領域における全ての計数値を零に書き換えて記憶させ（ステップ３５）、運転用情報記憶領域Ａに記憶されている制御データＳＤを再度書き換えて記憶させるリフレッシュ動作を実行する（ステップ３６）。
【００５６】
〔別実施形態〕
以下、別実施形態を列記する。
【００５７】
（１）上記各実施形態では、計数処理タイミングになる毎に、複数の計数値記憶領域のうちのいずれか１つに対して、それが記憶している計数値を単位量加算して書き換え記憶させるようにしたが、このような構成に代えて次のように構成してもよい。
計数値の初期値として所定の値を予め記憶させておき、計数処理タイミングになる毎に計数値を単位量減算して書き換え記憶させるようにしてもよい。この場合には、全ての計数値が零になると、リフレッシュ動作用の設定条件が満たされたものと判別するように構成することができる。
【００５８】
（２）上記各実施形態では、前記複数の計数値記憶領域における全ての計数値が前記設定目標値に達していると、前記リフレッシュ動作用の設定条件が満たされたものと判別するように構成され、且つ、前記複数の計数値記憶領域における全ての計数値を零に書き換えて記憶させるように構成されているものを例示したが、このような構成に代えて次のように構成するものでもよい。
【００５９】
例えば、複数の計数値記憶領域における全ての計数値が前記設定目標値に達していることを条件とするのではなく、複数の計数値記憶領域のうちのいずれか１つのものの前記計数値が前記設定目標値に達すると、前記リフレッシュ動作用の設定条件が満たされたものと判別する構成としてもよい。
【００６０】
又、上述したように前記計数処理タイミングになる毎に計数値の加算を繰り返して全ての計数値が前記設定目標値に達している場合に、複数の計数値記憶領域における全ての計数値を零に書き換えて記憶させるものに代えて、その後、前記計数処理タイミングになる毎に、それらのうちのいずれかのものの計数値を設定目標値から単位量づつ減算していく処理を実行し、全ての計数値が零になると次回のリフレッシュ動作用の設定条件が満たされたものと判別する構成としてもよい。
【００６１】
（３）上記各実施形態では、不揮発性の記憶手段としてＥＥＰＲＯＭを用いたが、電気的に書き込み消去が可能な不揮発性の記憶手段であればよく、ＥＥＰＲＯＭに限らず他の記憶手段を用いてもよい。
【００６２】
（４）上記各実施形態では、機器の電源としての乾電池が備えられ、機器運転開始操作にて機器に対して乾電池からの電力供給が開始され、機器運転停止操作にて乾電池からの電力供給が停止されるように構成され、乾電池からの電力供給が開始される毎に、前記計数処理タイミングになったものと判別するものを例示したが、このような構成に代えて次のように構成してもよい。
機器の電源として交流１００Ｖの商用電源を用いるようにしてもよい。
又、前記計数処理タイミングとして、機器が使用されている期間が予め設定されている設定時間に達する毎に、計数処理タイミングになったものと判別するように構成する等、各種の形態で実施してもよい。
【００６３】
（５）上記各実施形態では、本発明にかかる機器として、テーブル式ガスコンロに適応した例を示したが、ビルトイン式ガスコンロにも適応することが可能であり、又、ガスコンロに限らず、機器の作動を制御する制御手段と、機器運転用情報を記憶する不揮発性の記憶手段とを備えて、前記制御手段が、記憶手段に記憶されている機器運転用情報に基づいて機器の作動を制御するように構成されているものであればよく、各種の機器に適応することが可能である。
【図面の簡単な説明】
【図１】ガスコンロの全体斜視図
【図２】モード設定部を示す図
【図３】ガスコンロの概略構成を示すブロック図
【図４】電源供給状態を示す回路構成図
【図５】ＥＥＰＲＯＭの記憶領域を示す図
【図６】制御動作を示すフローチャート
【図７】第２実施形態のＥＥＰＲＯＭの記憶領域を示す図
【図８】第２実施形態の制御動作を示すフローチャート
【符号の説明】
１１                  制御手段
１４                  記憶手段
Ａ                    運転用情報記憶領域
Ｂ１〜Ｂｎ            計数値記憶領域
ＢＴ                  乾電池
ＫＤ１〜ＫＤｎ        計数値
【図１】
2004258768.tif 000003
【図２】
2004258768.tif 000004
【図３】
2004258768.tif 000005
【図４】
2004258768.tif 000006
【図５】
2004258768.tif 000007
【図６】
2004258768.tif 000008
【図７】
2004258768.tif 000009
【図８】
2004258768.tif 000010